(57)【要約】【課題】深い折れ皺やヨレが発生し難く、フィット性、漏れ防止性、着用感に優れている吸収性物品を提供すること。【解決手段】本発明の吸収性物品１における吸収体４は、吸収性シートの積層体からなり、排泄部対向部Ｂに、縦方向Ｘに沿う縦スリット４３，４４が複数、分散した状態に形成された排泄部スリット領域Ｓを有し、排泄部対向部における吸収体４の中央部に、縦スリット４３が特定の配置で形成された中央スリット領域Ｓ１が形成されている。また、吸収体４は、後方部Ｃに、横方向Ｙへ長手方向を有するように延びる後方スリット４５を有し、該後方スリットは、スリットの長手方向の中央部が該長手方向の両端部の位置より前方部側に位置する形状を有し、縦方向Ｘに間隔を開けて複数本形成されている。後方スリット４５で形成される後方スリット領域Ｓ３の横方向Ｙの長さが、排泄部スリット領域Ｓの同方向Ｙの長さより短い。【選択図】図１
2015023999.tif 000002
【特許請求の範囲】
【請求項１】
液保持性の吸収体並びに該吸収体の肌対向面側に配置された表面シート及び該吸収体の非肌対向面側に配置された裏面シートを具備し、着用時に着用者の排泄部に対向配置される排泄部対向部と、該排泄部対向部より着用者の腹側に配される前方部と、該排泄部対向部より着用者の背側に配される後方部とを有する吸収性本体を備え、着用者の前後方向に相当する縦方向とこれに直交する横方向とを有する吸収性物品であって、
前記吸収体は、吸収性シートの積層体からなり、前記排泄部対向部に、前記縦方向に沿う縦スリットが複数、分散した状態に形成された排泄部スリット領域を有しており、
前記排泄部対向部における前記吸収体の前記横方向の中央部に、前記縦スリットが特定の配置で形成された中央スリット領域が形成されており、該特定の配置は、前記横方向に離間した複数本の縦スリットからなるスリット列が前記縦方向に複数列形成され、該縦方向に隣り合うスリット列間に間隔を有さず、且つ該縦方向に隣り合うスリット列のスリットの位置が前記横方向にずれている配置であり、
前記吸収体は、前記後方部に、前記横方向へ長手方向を有するように延びる後方スリットを有しており、該後方スリットは、該後方スリットの長手方向の中央部が該長手方向の両端部の位置より前方部側に位置する平面視形状を有し、前記縦方向に間隔を開けて複数本形成されており、
前記後方スリットで形成される後方スリット領域の前記横方向の長さが、前記排泄部スリット領域の同方向の長さと同じか短い吸収性物品。
【請求項２】
前記吸収体は、前記排泄部対向部に多層部を有し、該多層部は、その周囲に位置する部分よりも吸収性シートの積層枚数が多い部分であり、前記中央スリット領域は、該多層部に形成され、前記後方スリットは、該多層部より後方に位置する、該多層部より吸収性シートの積層枚数が少ない部位に形成されている、請求項１に記載の吸収性物品。
【請求項３】
前記後方スリットは、前記縦方向に隣り合う後方スリットのうちの前方に位置する後方スリットの後端位置が、後方に位置する後方スリットの前端位置より前方に位置するように形成されている請求項１又は２に記載の吸収性物品。
【請求項４】
前記後方スリットは、その長手方向の中央部に、該スリットが開いた隙間を有する、請求項１〜３の何れか１項に記載の吸収性物品。
【請求項５】
前記後方スリットは、前記前方部側に向かって凸に湾曲した平面視形状を有する、請求項１〜４の何れか１項に記載の吸収性物品。
【請求項６】
前記排泄部スリット領域は、前記中央スリット領域の両側に、該中央スリット領域の縦スリットと長さが同じか短い縦スリットが形成された側部スリット領域を有しており、該側部スリット領域には、前記縦方向に複数の縦スリットが配置されているとともに、該縦方向に隣り合う縦スリットどうしは、前記横方向に位置をずらし且つ前記縦方向に重複部を有するように配置されている、請求項１〜５の何れか１項に記載の吸収性物品。
【発明の詳細な説明】
【技術分野】
【０００１】
本発明は、生理用ナプキン等の吸収性物品に関する。
【背景技術】
【０００２】
生理用ナプキンやパンティライナー等の吸収性物品に用いられる吸収体として、バインダーなどの接着手段を用いて薄く形成した吸収性シートを２層以上積層して構成した吸収体が知られている。
【０００３】
また、吸収体にスリットや開口を形成する技術が知られている。
例えば、特許文献１には、吸収体における、周辺を除く部分に所定の長さを有する４列以上のスリットを所定間隔で形成することが記載されている（特許文献１参照）。
また、特許文献２には、吸収体に、剛性の異なる３つの領域を形成し、そのうちの一つの領域の形成方法として、該吸収体に、複数本の細長い孔を、該吸収体の材料を取り除くことによって形成することが記載されている。
【先行技術文献】
【特許文献】
【０００４】
【特許文献１】特開昭６３−１８１２２号公報
【特許文献２】特表２００８−５２９７２１号公報
【発明の概要】
【発明が解決しようとする課題】
【０００５】
吸収性シートを用いた吸収体は、パルプ繊維を積繊した嵩高な吸収体とは異なり、繊維間が結合して繊維が自由に動けない状態となっているために、吸収性物品に組み込まれて使用されたときに、着用者の大腿部から加わる圧力によって圧縮されると、深い折れ皺が生じ易い。深い折れ皺は、着用者に違和感を与えたり、皺に沿って液が流れることによって漏れを誘発することもある。また、吸収性シートを用いた吸収体は、排泄部対向部より後方にヨレを生じやすい。ヨレは、フィット性等の性能向上の目的で発生させる変形ではなく、意図しない変形である。
特許文献１には、吸収体に形成するスリットに関し、吸収体の長手方向に沿ってスリットを形成したものと幅方向に沿ってスリットを形成したものが、それぞれ別個に開示されているが、長手方向に沿うスリットについては、吸収体の略全長に亘って連続的に形成されている。吸収体に、その長手方向に沿うようにスリットを設けたとしても、吸収性物品の長手方向に延びる皺が生じ易く、その皺によって、着用者が違和感を覚えたり、漏れが誘発される恐れがある。
他方、特許文献２に記載の吸収体のように、吸収体の材料を無くして開口を形成した場合には、表面シートに液が残りやすくなることがある。
【０００６】
従って本発明は、従来技術が有する解決課題を解決し得る吸収性物品に関する。
【課題を解決するための手段】
【０００７】
本発明は、液保持性の吸収体並びに該吸収体の肌対向面側に配置された表面シート及び該吸収体の非肌対向面側に配置された裏面シートを具備し、着用時に着用者の排泄部に対向配置される排泄部対向部と、該排泄部対向部より着用者の腹側に配される前方部と、該排泄部対向部より着用者の背側に配される後方部とを有する吸収性本体を備え、着用者の前後方向に相当する縦方向とこれに直交する横方向とを有する吸収性物品であって、前記吸収体は、吸収性シートの積層体からなり、前記排泄部対向部に、前記縦方向に沿う縦スリットが複数、分散した状態に形成された排泄部スリット領域を有しており、前記排泄部対向部における前記吸収体の前記横方向の中央部に、前記縦スリットが特定の配置で形成された中央スリット領域が形成されており、該特定の配置は、前記横方向に離間した複数本の縦スリットからなるスリット列が前記縦方向に複数列形成され、該縦方向に隣り合うスリット列間に間隔を有さず、且つ該縦方向に隣り合うスリット列のスリットの位置が前記横方向にずれている配置であり、前記吸収体は、前記後方部に、前記横方向へ長手方向を有するように延びる後方スリットを有しており、該後方スリットは、前記スリットの長手方向の中央部が該長手方向の両端部の位置より前方部側に位置する平面視形状を有し、前記縦方向に間隔を開けて複数本形成されており、前記後方スリットで形成される後方スリット領域の前記横方向の長さが、前記排泄部スリット領域の同方向の長さと同じか短い吸収性物品を提供するものである。
【発明の効果】
【０００８】
本発明の吸収性物品は、深い折れ皺やヨレが発生し難く、フィット性、漏れ防止性、着用感に優れている。
【図面の簡単な説明】
【０００９】
【図１】図１（ａ）は、本発明の吸収性物品の一実施形態である生理用ナプキンの肌対向面側（表面シート側）を示す平面図であり、図１（ｂ）は、その生理用ナプキンの吸収体のみを示す抽出平面図である。
【図２】図２は、図１のＩＩ−ＩＩ線模式的断面図である。
【図３】図３は、中央スリット領域における縦スリットの好ましい配置を示す吸収体の部分拡大平面図である。
【図４】図４は、本発明の範囲外の縦スリットの配置を示す吸収体の部分拡大平面図である。
【図５】図５は、図１のＩＶ−ＩＶ線模式的断面図である。
【図６】図６（ａ）は、図１に示す生理用ナプキンにおける後方スリット領域の一部拡大平面図であり、図６（ｂ）は、別の実施形態における図６（ａ）相当図である。
【図７】図７は、本発明の他の実施形態における吸収体を示す図〔図１（ｂ）相当図〕である。
【図８】図８（ａ）〜図８（ｄ）は、吸収性シートの折り畳み方の別の例を示す補助吸収体の模式断面図である。
【発明を実施するための形態】
【００１０】
以下、本発明の吸収性物品を、その好ましい一実施形態である生理用ナプキンに基づき図面を参照して説明する。本実施形態のナプキン１は、図１及び図２に示すように、液保持性の吸収体４並びに該吸収体４の肌対向面側に配置された表面シート２及び該吸収体４の非肌対向面側に配置された裏面シート３を具備する吸収性本体５を備え、着用者の前後方向に相当する縦方向Ｘとこれに直交する横方向Ｙとを有する。
【００１１】
尚、本明細書において、肌対向面は、吸収性物品又はその構成部材（例えば吸収性本体５）における、吸収性物品の着用時に着用者の肌側に向けられる面であり、非肌対向面は、吸収性物品又はその構成部材における、吸収性物品の着用時に肌側とは反対側（着衣側）に向けられる面である。また、縦方向Ｘは、吸収性物品（吸収性本体）の長手方向に一致し、横方向Ｙは、吸収性物品（吸収性本体）の幅方向（長手方向に直交する方向）に一致する。
【００１２】
吸収性本体５は、着用時に着用者の液排泄部（膣口等）に対向配置される排泄部対向部Ｂと、着用時に排泄部対向部Ｂよりも着用者の腹側（前側）に配される前方部Ａと、着用時に排泄部対向部Ｂよりも着用者の背側（後側）に配される後方部Ｃとを縦方向Ｘに有している。
【００１３】
ナプキン１は、吸収性本体５に加えて更に、吸収性本体５における排泄部対向部Ｂの縦方向Ｘに沿う両側部それぞれから横方向Ｙの外方に延出する一対のウイング部７，７を有している。
【００１４】
尚、本発明の吸収性物品において、排泄部対向部は、本実施形態のナプキン１のようにウイング部を有する場合には、吸収性物品の縦方向（吸収性物品の長手方向、図中のＸ方向）においてウイング部を有する領域（ウイング部の縦方向一方側の付け根と他方側の付け根とに挟まれた領域）である。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域である。
【００１５】
図２に示すように、表面シート２は、吸収体４の肌対向面の全域を被覆し、更に吸収体４の縦方向Ｘに沿う両側縁から横方向Ｙの外方に延出している。一方、裏面シート３は、吸収体４の非肌対向面の全域を被覆し、更に吸収体４の縦方向Ｘに沿う両側縁から横方向Ｙの外方に延出して、後述するサイドシート１０と共にサイドフラップ部６を形成している。裏面シート３とサイドシート１０とは、吸収体４の縦方向Ｘに沿う両側縁からの延出部において、接着剤、ヒートシール、超音波シール等の公知の接合手段によって互いに接合されている。表面シート２及び裏面シート３それぞれと吸収体４との間は接着剤によって接合されていても良い。
【００１６】
本実施形態における吸収体４は、図２に示すように、吸収性シート４０１〜４０３の積層体からなり、図１及び図２に示すように、排泄部対向部Ｂに多層部４２を有している。多層部４２は、図２に示すように、吸収体４を構成する吸収性シートの積層枚数が、その周囲に位置する部分より多い部分である。本実施形態における多層部４２は、その周囲に位置する部分よりも厚みも厚く、排泄部対向部Ｂに、表面シート２側（ナプキン１の肌対向面側）に突出した隆起部を形成している。また、吸収体４は、吸収体４の外形を形成する主吸収体４０と、主吸収体４０の一部に重ねて配された主吸収体４０より小型の補助吸収体４１とを有している。主吸収体４０は、平面視において角が丸みを帯びた略矩形形状で且つ前方部Ａから排泄部対向部Ｂを経て後方部Ｃに亘って延びる２枚の同形同大の吸収性シート４０１，４０２からなり、補助吸収体４１は、平面視において略矩形形状であり、排泄部対向部Ｂからその近傍の後方部Ｃに亘って配されている。補助吸収体４１は、１枚の吸収性シート４０３を折り畳んで２層構造としたものであり、主吸収体４０を構成する２枚の吸収性シート４０１，４０２間に配されている。主吸収体４０の一部に補助吸収体４１を配することで、吸収体４の一部の吸収容量を容易且つ効率的に増大させることができる。補助吸収体４１は、主吸収体４０を構成する２枚の吸収性シート４０１，４０２間に配置するのに代えて、主吸収体４０を構成する上側の吸収性シート４０１の肌対向面側に積層しても良いし、主吸収体４０を構成する下側の吸収性シート４０２の非肌対向面側に積層しても良い。また、吸収性シート間は、接合されていなくても良いし、まばらに散布した接着剤等によって接着されていても良い。
【００１７】
吸収性本体５の肌対向面（表面シート２の肌対向面）における縦方向Ｘに沿う両側部には、図１及び図２に示すように、平面視において吸収体４の縦方向Ｘに沿う左右両側部に重なるように、一対のサイドシート１０，１０が吸収性本体５の縦方向Ｘの略全長に亘って配されている。一対のサイドシート１０，１０は、それぞれ、排泄部対向部Ｂに位置する線状の第１接合線１１と、該第１接合線１１の縦方向Ｘの前後（前方部Ａ及び後方部Ｃ）に位置する線状の第２接合線１２とで吸収性本体５（表面シート２）に接合されている。第１接合線１１は、平面視において横方向Ｙの外方に向けて凸の曲線状であり、第２接合線１２は、平面視において縦方向に交差するように延びる線状（ジグザグ線状）である。サイドシート１０は、撥水性の不織布からなる。このように、サイドシート１０が接合線１１，１２にて吸収性本体５の肌対向面（表面シート２）に接合されていると、図２に示すように、接合線１１，１２よりも横方向Ｙの内方に、サイドシート１０と表面シート２とで画成される空間部Ｐが形成される。この空間部Ｐは、吸収性本体５の横方向Ｙの中央に向けて開口しているので、横方向Ｙの中央から外方へ流れる経血等の排泄液は空間部Ｐに収容されるようになり、結果として排泄液の漏れが効果的に防止される。
【００１８】
サイドフラップ部６は、図１に示すように、排泄部対向部Ｂにおいて横方向Ｙの外方に向かって大きく張り出しており、これにより吸収性本体５の縦方向Ｘに沿う左右両側に、一対のウイング部７，７が延設されている。また、表面シート２及び裏面シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１９】
ウイング部７は、ショーツ等の着衣のクロッチ部の非肌対向面側に折り返されて用いられるものである。ウイング部７は、図１に示すように、平面視において、下底（上底よりも長い辺）が吸収性本体５の側部側に位置する略台形形状を有している。ウイング部７の非肌対向面には、該ウイング部７（ナプキン１）をショーツ等の着衣（図示せず）に固定するウイング部粘着部（図示せず）が形成されており、このウイング部粘着部によって、使用時に、着衣のクロッチ部の非肌対向面（外面）側に折り返されたウイング部７を、該クロッチ部に粘着固定できるようになされている。また、吸収性本体５の非肌対向面にも、吸収性本体５を、ショーツ等の着衣に固定するための本体粘着部（図示せず）が形成されている。なお、ナプキン１においては、吸収性本体５とウイング部７との境界線は、ウイング部７の縦方向Ｘの両付け根を結ぶ直線（図示せず）である。
【００２０】
図１及び図２に示すように、吸収性本体５の肌対向面（表面シート２の肌対向面）には、表面シート２及び吸収体４が裏面シート３側に向かって一体的に凹陥してなる線状溝が形成されており、該線状溝は、排泄部対向部Ｂにおいて縦方向Ｘに延びる縦溝５１と、前方部Ａ及び後方部Ｃにおいて、それぞれ横方向Ｙに延びるように形成された第１及び第２の横溝５２，５３とを含む。線状溝は、熱を伴うか又は伴わない圧搾加工（いわゆるエンボス加工）、あるいは超音波エンボス等のエンボス加工により常法に従って形成することができる。線状溝においては、表面シート２及び吸収体４との間が、図示しないが、接着剤を介して圧着されるか、あるいは熱融着等により一体化（結合）している。表面シート２と吸収体４との間が結合しているという表現には、表面シート２と吸収体４との間にセカンドシート等の他のシートが介在し、その表面シートと当該他のシートとが接合され、更に当該他のシートと吸収体４とが接合（結合）している場合も含まれる。
【００２１】
このような線状溝は、吸収体４の平面方向の液の拡散を抑制して、ナプキン１の周囲から液漏れを効果的に防止することができる。線状溝の幅（長さ方向と直交する方向の長さ）及び深さは、この種の吸収性物品における線状溝と同様に設定すれば良い。また、線状溝における「線状」とは、溝（凹陥部）の形状が平面視において直線に限られず、曲線を含み、各線は、連続線でも破線でも良い。例えば、線状溝は、不連続な多数の点エンボスのなす列から構成されていても良い。なお、本実施形態のナプキン１は、図１に示すように、吸収性本体５を横方向Ｙに二分する中心線（図示せず）に対して左右対称に形成されている。
【００２２】
本実施形態のナプキン１の一つの特徴として、図１及び図３に示すように、吸収体４が、排泄部対向部Ｂに、縦方向Ｘに沿う縦スリット４３，４４が複数、分散した状態に形成された排泄部スリット領域Ｓを有しており、該排泄部対向部Ｂにおける吸収体４の、前記横方向Ｙの中央部に、前記縦スリット４３が下記の特定の配置で形成された中央スリット領域Ｓ１が形成されている点が挙げられる。より具体的には、本実施形態のナプキン１では、排泄部スリット領域Ｓの縦方向Ｘ及び横方向Ｙの中央部に、中央スリット領域Ｓ１が配されている。排泄部スリット領域Ｓにおける縦スリット４３，４４は、縦方向Ｘ及び横方向Ｙの両方向に分散した状態に形成されている。
縦スリット４３，４４は、図２に示すように、吸収体４を構成する吸収性シートの積層体を貫通していることが好ましい。縦スリット４３，４４は、吸収体４の上下に配される表面シート２及び裏面シート３には、形成されておらず、表面シート２と吸収体４との間に配されることのある不織布からなる中間シートにも形成されていないことが好ましい。
【００２３】
中央スリット領域Ｓ１における縦スリット４３の前記特定の配置は、下記条件１〜３の総てを満たす配置である。
（条件１）吸収性物品の横方向Ｙに離間した複数本の縦スリット４３からなるスリット列Ｒ１，Ｒ２が、吸収性物品の縦方向Ｘに複数列形成されている。図３（ａ）及び図３（ｂ）には、横方向Ｙに離間した２本の縦スリット４３からなるスリット列Ｒ１と、横方向Ｙに離間した３本の縦スリット４３からなるスリット列Ｒ２とが、縦方向Ｘに交互に形成されている例を示したが、本発明における中央スリット領域には、最低、横方向Ｙに離間した２本の縦スリットからなるスリット列が縦方向Ｘに２列形成されていれば良い。但し、スリット列は、縦方向Ｘに３列以上形成されていることが好ましく、４列以上がより好ましく、５列以上が更に好ましい。また、個々のスリット列に含まれる横方向Ｘに離間した縦スリットの本数は、好ましくは２本以上であり、より好ましくは３本以上、更に好ましくは４本以上である。
（条件２）吸収性物品の縦方向Ｘに隣り合うスリット列間に間隔Ｐを有しない。即ち、縦方向Ｘに隣り合う２つのスリット列Ｒ１，Ｒ２間には、図４（ａ）に示すような間隔Ｐは設けない。隣り合うスリット列間に間隔Ｐを有しないという表現には、図３（ａ）に示すように、隣り合うスリット列のスリット４３の端部どうしの位置が一致している場合と、図３（ｂ）に示すように、隣り合うスリット列が、縦方向Ｘにおいて一部重複している場合とが含まれる。図３（ｂ）に示すように、２本のスリット列を互いの一部を重複させた状態で縦方向Ｘに配置する場合、その重複させる長さＬ１は、スリット列を構成する縦スリットの同方向Ｘの長さＬ２の２０％以下であることが好ましく、１０％以下であることが好ましい。
（条件３）吸収性物品の縦方向Ｘに隣り合うスリット列のスリットの位置が、吸収性物品の横方向Ｙにずれている。図３（ａ）及び図３（ｂ）に示すように、縦方向Ｘに隣り合う２つのスリット列Ｒ１，Ｒ２における縦スリット４３は、一方のスリット列Ｒ１のスリット４３が、他方のスリット列Ｒ２のスリット４３間の中央部に位置することが好ましいが、一方のスリット列Ｒ１のスリット４３が、他方のスリット列Ｒ２のスリット４３間における何れか一方の側に偏倚させて形成されていても良い。図４（ｂ）は、縦方向Ｘに隣り合うスリット列Ｒ１，Ｒ２のスリットの位置が、横方向Ｙにずれていない例を示す図である。
【００２４】
本実施形態のナプキン１の他の特徴として、図１に示すように、吸収体４が、排泄部対向部Ｂより後方に位置する後方部Ｃに、吸収性物品の横方向Ｙへ長手方向を有するように延びる複数本の後方スリット４５を有する点が挙げられる。この後方スリット４５は、図１（ｂ）及び図５に示すように、スリット４５の長手方向の中央部４５ａの位置が、該長手方向の両端部４５ｂ，４５ｂの位置よりも前方部Ａ側に位置する平面視形状を有しており、より好ましくは、前方部Ａ側に向かって凸に湾曲した平面視形状を有している。また、後方スリット４５は、吸収性物品の縦方向Ｘに間隔を開けて複数本形成されている。
【００２５】
また、図１（ｂ）に示すように、後方スリット４５で形成される後方スリット領域Ｓ３の前記横方向Ｙの長さＬ３が、排泄部スリット領域Ｓの同方向Ｙの長さＬ４より短い。
図１（ｂ）には、排泄部スリット領域Ｓを、縦方向Ｘ及び横方向Ｙにいずれについても、見易さの観点から便宜的に、縦スリット４３，４４が分布する範囲よりやや広い範囲として示してある。しかし、本発明における排泄部スリット領域Ｓは、縦スリット４３，４４が分布する範囲であり、その横方向Ｙの長さＬ４は、図１（ｂ）に示す通り、横方向Ｙの両端に位置する縦スリット４４の外縁間の距離である。
また、後方スリット４５で形成される後方スリット領域Ｓ３は、縦方向Ｘに沿う２辺及び横方向Ｙに沿う２辺を有する長方形であって、後方スリット４３の全体（複数本ある場合にはその全部）を囲む長方形のうち最小のものの内側の領域である。後方スリット領域Ｓ３についても、図１（ｂ）には、見易さ等の観点から便宜的に、やや広い範囲として示されている。図６（ｂ）に示すように、後方スリット４５が、横方向Ｙの位置をずらして縦方向Ｘに複数形成されている場合、後方スリット領域Ｓ３の横方向Ｙの長さＬ３は、最も外側に位置する端部どうし間の距離とする。
【００２６】
本実施形態のナプキン１では、図６（ａ）に示すように、吸収体４の横方向長さを二等分する中心位置４ｃと後方スリット４５の長手方向長さを二等分する中心位置４５ｃとがほぼ一致するように配されている。ここで「ほぼ一致」とは、吸収体４の横方向長さの１０％の長さ分、吸収体４の中心位置４ｃと後方スリットの中心位置４５ｃがずれていても良いことを意味する。
また、複数の後方スリット４５，４５各々について、長手方向の長さはほぼ同じである。ここで「略同じ」とは、その長さの差が、後方スリット領域Ｓ３の横方向Ｙの長さＬ３の５％以内に収まっていることを意味する。
さらに、複数の後方スリット４５，４５各々は、中心位置４５ｃがほぼ一致している。ここで「ほぼ一致」とは、吸収体４の横方向長さの５％の長さ分、ずれていても良いことを意味する。
【００２７】
本実施形態のナプキン１によれば、図１（ｂ）に示すように、吸収性シートの積層体からなる吸収体４が、排泄部対向部Ｂに、縦スリット４３，４４が複数、分散した状態に形成された排泄部スリット領域Ｓを有し、且つ排泄部対向部Ｂにおける吸収体４の幅方向中央部に、縦スリット４３が上記の特定の配置で形成された中央スリット領域Ｓ１を有するため、ナプキン１の着用時に、着用者の大腿部により、吸収体４を横方向Ｘに圧縮する力が加えられても、吸収体４が、排泄部スリット領域の多様な部位で細かく変形するため、吸収体４やナプキン１に、深さの深い折れ皺が生じにくい。そのため、深い折れ皺によって、着用者が違和感を覚えたり、折れ皺に沿って液が流れて漏れにつながること等も防止される。特に、本実施形態のナプキン１は、中央スリット領域Ｓ１における隣り合うスリット列Ｒ１，Ｒ２間に間隔Ｐを有しないため、図４（ａ）に示すようにスリット列Ｒ１，Ｒ２間に間隔Ｐを有する場合に比較して、大腿部からの圧力によっておこる製品のヨレが生じにくい。図４（ａ）のように間隔Ｐを設けた場合には、スリット列Ｒ１、Ｒ２の部位では、動きや体の形状に沿って変形し、深い折り皺もできにくいが、装着時にスリット列間の部位に生じた折り皺が、スリット列内のスリットのない部分に伝わりヨレが生じ易くなる。また、スリット列を有する部位とスリット列間の間隔Ｐの部位との間に、剛性差が生じ、その境界での折れも生じやすく体へのフィット性の低下を招きやすい。
【００２８】
しかも、本実施形態のナプキン１は、後方部Ｃに、吸収性物品の縦方向Ｘと交差する方向に延びるとともに前方部Ａ側に向かって凸に湾曲した平面視形状の後方スリット４５が複数本形成されているため、排泄部対向部Ｂの後端部付近から後方部Ｃにかけての、大腿部からの力を受けつつ身体の形状に合わせて前後方向に湾曲させなければならない部位においても、吸収体４及びナプキン１が、着用者の動きや身体形状に沿って容易に変形する。そのため、吸収性シートの積層体からなる吸収体４を用いているにも拘わらずに、優れたフィット性、漏れ防止性、着用感が得られる。
【００２９】
また、後方スリット領域Ｓ３の前記長さＬ３が、排泄部スリット領域Ｓの前記長さＬ４と同じか短いこと（Ｌ３≦Ｌ４）により、後方部Ｃにおける、臀裂への極端な食い込みやヨレを防止できるという有利な効果が奏される。排泄領域は、大腿部からの圧力を最も高く受ける領域であり、身体の複雑な形状と動きにフィットさせるためにもできるだけ吸収体全福にわたってスリットが形成されていることが好ましいが、後方は大腿部からの圧力をほとんど受けず、むしろ体の前後方向に沿うようにフィットさせることが重要である。排泄部で大腿部の圧力により生じた製品前後方向に沿うヨレや皺の後部への伝達は、排泄部と交差する方向にスリットを形成することで防止され、排泄部のスリット領域の幅と同じかより幅を狭くしておくことで後部が柔軟になりすぎず体に沿って、臀部を包み込むような変形をすることが可能になる。後方スリット領域Ｓ３の長さＬ３と排泄部スリット領域Ｓの長さＬ４を同じ長さで設計しておくとことで、排泄部で生じた製品前後方向に沿うヨレや皺の後部への伝達を防止する効果をより高めることができる。また、個々の後方スリット４５の長手方向の長さは、ナプキンの後方に行くにしたがって徐々に短くなっていってもよいし、最後方のスリットだけが、前方のスリットより短くなっていってもよい。なお、複数本の後方スリットの長さが異なっている場合であって、それらの長手方向の中心位置が、揃っている場合には、後方スリット領域Ｓ３の前記長さＬ３と、最も長い後方スリットの長手方向の両端部間の直線距離とが一致する。後方に行くにしたがって徐々に後方スリットの長さが短くなって行く場合には、前後の身体湾曲形状にある程度沿いながら、臀裂への食い込みを効果的に防止できる。更に、最後方のスリット長さを短く設計しておくと、後方スリットより後方のスリットのない部位で、スリット領域の剛性とスリットのない領域の剛性差に起因してできる皺、折れにより生じる違和感を防止できる。特に最後方のスリットと吸収体の端部が比較的近い位置にある場合はより効果的である。
後方スリット領域４５の前記長さＬ３は、排泄部スリット領域Ｓの前記長さ４の５０％以上１００％以下であることが、より好ましい。
【００３０】
また、ナプキン（吸収性物品）の製造工程が、吸収体又はその連続体を、それらの長手方向に搬送しつつ、該搬送方向に直交する方向に延びる後方スリットを形成する工程を有する場合、スリット形成後の吸収体等を、搬送方向に引っ張ると該吸収体等がちぎれやすくなる。これに対して、後方スリット４５を、スリットの長手方向の中央部４５ａが長手方向の両端部４５ｂ，４５ｂの位置より前方部側に位置するような形状とすることによって、後方スリット４５と、搬送方向と直交する方向に延びる直線との重なり長さを少なくすることにより、吸収体等にちぎれが生じることを確実に防止することができる。
後方スリット４５は、吸収体等の搬送時のちぎれ防止、後述する隙間の形成性、加工性等の観点から、前方部側に向かって凸に湾曲した平面視形状、例えば、円弧状、放物線状、Ｕ字状等であることが好ましい。
【００３１】
上述した効果が一層確実に得る観点等から、吸収体は、以下の一又は二以上の構成を有することが好ましい。
中央スリット領域Ｓ１における縦スリット４３の長さＬ２（図３参照）は、好ましくは１０ｍｍ以上、更に好ましくは１５ｍｍ以上であり、また、好ましくは３５ｍｍ以下、更に好ましくは２５ｍｍ以下であり、また、好ましくは１０ｍｍ以上、３５ｍｍ以下、更に好ましくは１５ｍｍ以上、２５ｍｍ以下である。
中央スリット領域Ｓ１における同一スリット列内における縦スリット４３の間隔Ｌ５（図３参照）は、好ましくは３ｍｍ以上、更に好ましくは７ｍｍ以上、また、好ましくは２０ｍｍ以下、更に好ましくは１５ｍｍ以下であり、また、好ましくは３ｍｍ以上２０ｍｍ以下、更に好ましくは７ｍｍ以上１５ｍｍ以下である。
【００３２】
排泄部スリット領域Ｓの横方向Ｙの長さＬ４は、排泄部対向部Ｂにおける吸収体４の同方向Ｙの長さの、好ましくは３０％以上、更に好ましくは４０％以上であり、また好ましくは８５％以下、更に好ましくは７５％以下である。排泄部スリット領域Ｓの横方向Ｙの長さＬ４は、好ましくは３０ｍｍ以上、更に好ましくは４０ｍｍ以上であり、また、好ましくは５５ｍｍ以下、更に好ましくは４５ｍｍ以下である。
【００３３】
また、後方スリット４５で形成される後方スリット領域の前記横方向Ｙの長さＬ３は、その後方スリット４５を有する部位における吸収体４の同方向Ｙの長さの、好ましくは３０％以上、更に好ましくは４０％以上であり、また好ましくは６５％以下、更に好ましくは５５％以下である。
また、後方スリット４５で形成される後方スリット領域の横方向Ｙの長さＬ３の、排泄部スリット領域Ｓの横方向Ｙの長さＬ４に対する比は、好ましくは１以下、更に好ましくは５/６以下であり、また、好ましくは２/５以上であり、更に好ましくは１/２以上である。
また、後方スリット４５で形成される後方スリット領域の前記横方向Ｙの長さＬ３は、好ましくは２０ｍｍ以上、更に好ましくは２５ｍｍ以上であり、また、好ましくは５０ｍｍ以下、更に好ましくは４５ｍｍ以下である。また、後方スリット４５は、前記縦方向Ｘの長さＬ６が、前記横方向Ｙの長さＬ３の、好ましくは２．５％以上、更に好ましくは７．５％以上であり、また、好ましくは１７．５％以下、更に好ましくは１５％以下である。
【００３４】
本実施形態のナプキン１の吸収体４は、図１（ａ）及び図２に示すように、排泄部対向部Ｂに、その周囲に位置する部分よりも吸収性シートの積層枚数が多い多層部４２を有し、中央スリット領域Ｓ１は、その多層部４２に形成されている一方、後方スリット４５は、該多層部４２の後方に位置する、該多層部４２よりも吸収性シートの積層枚数が少ない部位に形成されている。言い換えると、本実施形態のナプキン１では、中央スリット領域Ｓ１は多層部４２と重なる領域である。
そのため、排泄部対向部Ｂに形成される中央スリット領域には、大腿部からの圧力と身体の複雑な形状と動きが加わるため、多層にすることにより剛性を高め、ヨレを防止できる。後方スリット領域は、臀部に当たる部位に形成されるため、中央領域ほど複雑な変形は起こらない。また、特に着座時の違和感を防ぐことができる。
【００３５】
また、ナプキン（吸収性物品）の製造工程が、吸収体又はその連続体を、それらの長手方向に搬送しつつ、該搬送方向に直交する方向に延びる後方スリットを形成する工程を有する場合、スリット形成後の吸収体等を、搬送方向に引っ張り、その状態で上下のシート等に挟んで固定することで、図６に示すように、後方スリット４５の長手方向の中央部４５ａに、該スリットが開いた隙間４６を形成させることができる。
本発明における後方スリット４５は、中央部４５ａが両端部４５ｂ，４５ｂの位置より前方部側に位置しており、その中央部４５ａに、該スリットが開いた隙間４６を有することにより、身体形状に沿った形状への変形性が一層向上する。しかし、中央部４５ａ以外の部分も大きく開口すると、後方スリット４５と重なる部位の吸収阻害が生じることがあるため、後方スリット４５は、長手方向の両端部４５ｂ付近に、それぞれ、スリットの非開口領域を有することが好ましい。
多層部４２の後方に位置する該多層部よりも剛性の低い部位に、後方スリット４５を形成することにより、スリット形成後の吸収体等を搬送方向に引っ張ることで、吸収体等を適度にネックインさせることができ、中央部４５ａに隙間を有する一方、両端部４５ｂ，４５ｂに、スリットの非開口領域を有する後方スリット４５を容易に形成させることができる。
【００３６】
後方スリット４５による変形性の向上を図りつつ、該スリットの全長に亘る開口の形成による吸収阻害を防止する観点から、中央部４５ａに隙間４６を有する後方スリット４５は、その中央部４５ａにおける幅Ｌ７（図６参照）が、後方スリット４５で形成される後方スリット領域Ｓ３の前記横方向Ｙの長さＬ３に対して、好ましくは０．０５％以上、更に好ましくは０．０７５％以上であり、また好ましくは１０％以下、更に好ましくは８％以下である。また、同様の観点から、中央部４５ａにおけるスリット４５の幅Ｌ７（図６参照）は、後方スリット４５の前記縦方向Ｘの長さＬ６に対して、好ましくは０．３％以上、更に好ましくは０．５％以上であり、また好ましくは５０％以下、更に好ましくは３５％以下である。後方スリット４５の中央部４５ａの隙間４６は、ナプキン１の使用中に吸収体４が身体形状に沿って曲げられたときに消失する幅であることが吸収阻害の防止の観点から好ましい。
【００３７】
また、本実施形態における吸収体４の後方スリット４５は、図１（ｂ）に示すように、ナプキンの縦方向Ｘに隣り合う後方スリットのうちの前方に位置する後方スリットの後端位置Ｐ１が、後方に位置する後方スリットの前端位置Ｐ２より前方に位置するように形成されている。
このように配置することによって、縦方向Ｘにおいて、後方スリット４５どうし間に、スリットのない領域を形成することができる。これにより、製品加工時の吸収体をスリットする際に吸収体幅方向のスリット刃の圧力の分散を防ぐことができ、頂部から両端部にかけてきれいにスリットすることができる。また、後方スリットが臀部にそって装着されるとき、開口した頂部が閉じるか、わずかに重なるようにして曲がるが、この身体形状に沿うための変形のしやすさの点でも有利になる。
このよう観点から、縦方向Ｘにおいて隣り合う前方の後方スリットの後端位置Ｐ１と後方の前端位置Ｐ２との間の距離Ｌ８〔図１（ｂ）〕は、好ましくは２ｍｍ以上、更に好ましくは４ｍｍ以上であり、また、臀部へのフィット性の観点から、好ましくは１０ｍｍ以下、更に好ましくは７ｍｍ以下である。
また、同様の観点から、前記距離Ｌ８は、後方スリット４５で形成される後方スリット領域Ｓ３の前記長さＬ３に対して、好ましくは３％以上、更に好ましくは５％以上であり、また好ましくは３０％以下、更に好ましくは４０％以下である。
なお、本実施形態における吸収体４は、図１（ｂ）に示すように、吸収体４の周縁部に、スリットが存在しない環状の非スリット領域を有している。
【００３８】
本発明における吸収体４は、例えば、図７に示す吸収体のように、排泄部スリット領域Ｓには、同一の長さの縦スリット４３が、全域に亘って同様のパターンで配置されていても良いが、本実施形態のナプキン１における排泄部スリット領域Ｓは、図１に示すように、中央スリット領域Ｓ１の両側に、中央スリット領域Ｓ１の縦スリット４３よりも長さの短い縦スリット４４が形成された側部スリット領域Ｓ２，Ｓ２を有している。また、側部スリット領域Ｓ２，Ｓ２には、それぞれ、縦方向Ｘに複数の縦スリット４４が配置されているとともに、該縦方向Ｘに隣り合う縦スリット４４，４４どうしは、横方向Ｙに位置をずらし且つ縦方向Ｘに重複部を有するように配置されている。「縦方向Ｘに重複部を有する」とは、縦方向Ｘに隣り合う縦スリット４４，４４のうちの前方に位置する縦スリット４４の後端位置が、後方に位置する縦スリット４４の前端位置より後方に位置することを意味する。図７に示す吸収体４における排泄部スリット領域Ｓは、その全域が中央スリット領域Ｓ１である。
【００３９】
側部スリット領域Ｓ２の縦スリット４４は、前記縦方向Ｘの長さが、中央スリット領域の縦スリット４３の同方向の長さに対して、好ましくは８５％以下、より好ましくは７５％以下であり、また、好ましくは５０％以上、より好ましくは６０％以上である。
排泄部対向部Ｂにおける吸収体４の両側部は、ナプキンの着用中に大腿部によって圧縮されやすいため、側部スリット領域Ｓ２，Ｓ２を設けて、その部分の変形性を高めることにより、深い折れ皺やヨレが一層発生しにくくなり、フィット性、漏れ防止性、着用感が一層向上する。
【００４０】
ナプキン１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液不透過性の材料や撥水性の材料を用いることができる。液不透過性の材料としては、樹脂フィルムや、微細孔を有し、透湿性を有する樹脂フィルム、樹脂フィルムと不織布等とのラミネート材等を用いることができ、撥水性の材料としては、スパンボンド・メルトブローン・スパンボンド等からなる多層構造の複合不織布、スパンボンド不織布、ヒートボンド不織布、エアスルー不織布等を用いることができる。
【００４１】
吸収体４を構成する吸収性シート４０１〜４０３としては、湿潤状態の吸水性ポリマーに生じる粘着力や別に添加した接着剤や接着性繊維等のバインダーを介して、構成繊維間や構成繊維と吸水性ポリマーとの間を結合させてシート状としたもの等を好ましく用いることができる。また、吸収性シートとしては、特開平８−２４６３９５号公報記載の方法にて製造された吸収性シート、気流に乗せて供給した粉砕パルプ及び吸水性ポリマーを堆積させた後、接着剤（例えば酢酸ビニル系の接着剤、ＰＶＡ等）で固めた乾式シート、紙や不織布の間にホットメルト接着剤等を塗布した後高吸水性ポリマーを散布して得られた吸収性シート、スパンボンド又はメルトブロー不織布製造工程中に高吸水性ポリマーを配合して得られた吸収性シート等を用いることができる。これらの吸収性シートは、一枚を所定形状に裁断してシート状吸収体として用いることができる。吸収性シート１枚あたりの厚みとしては、好ましくは０．１ｍｍ以上、特に０．３ｍｍ以上であり、また、好ましくは２ｍｍ以下、特に１．５ｍｍ以下であることが好ましい。より具体的には、０．１ｍｍ以上２ｍｍ以下、特に０．３ｍｍ以上１．５ｍｍ以下であることが好ましい。
【００４２】
本発明における吸収性シートの積層体は、枚葉の吸収性シートを複数枚貼り合わせて積層したものでも良いし、一枚の吸収性シートを折り畳むと共にそれらの層間を接着して積層体としたものでも良い。また、そのような積層体を、２枚の吸収性シート間や折り畳んで２層以上とした積層体の層間に挟んだり、他の吸収性シートの肌対向面側又は非肌対向面側に積層したものであっても良い。また、吸収性シートの折り畳み方も多様な折り畳み方を採用でき、例えば、上記実施形態における補助吸収体は、吸収性シート４０３を、図８（ａ）〜図８（ｄ）に示すような折り畳み方で折り畳んだものであっても良い。
【００４３】
吸収体４は、多層部４２における厚みが、好ましくは０．７ｍｍ以上、更に好ましくは１ｍｍ以上であり、また、好ましくは５ｍｍ以下、更に好ましくは４ｍｍ以下であり、より具体的には、好ましくは０．７ｍｍ以上５ｍｍ以下、更に好ましくは１ｍｍ以上４ｍｍ以下である。多層部４２の厚みをこのような範囲とすることで、多層部４２が形成されている排泄部対向部Ｂにおける良好な装着感と高い吸収性能を両立することが容易となる。また、本実施形態のナプキン１のように吸収性物品がウイング部を備えている場合には、装着時に排泄部対向部での吸収体のヨレを抑制しやすくなる。また、吸収体は、多層部４２以外の部分における厚みが、好ましくは０．３ｍｍ以上、更に好ましくは０．５ｍｍ以上であり、また、好ましくは３ｍｍ以下、更に好ましくは２．５ｍｍ以下であり、より具体的には、好ましくは０．３ｍｍ以上３ｍｍ以下、更に好ましくは０．５ｍｍ以上２．５ｍｍ以下である。この範囲であることが、高い吸収性能と着用者の動きへの追従性を高める観点から好ましい。
【００４４】
また、吸収体４において、中高部４２とその周辺部との境界又はその近傍における両者の厚み差（段差）は２ｍｍ以下であることが好ましく、更に１．５ｍｍ以下であることが好ましい。この目的は、排泄部対向部Ｂにおいて、中高部４２とその周辺部分の主吸収体４０のみが存在する領域との境界付近におけるヨレの発生を抑制することである。この段差が大きいと、着用中にナプキン１が着用者の動きに追従した際、段差による隙間を埋めようとするため、結果として段差の影響でヨレが生じ易くなることがあるが、該段差を前記範囲内に設定とすることで、排泄部対向部Ｂにおけるヨレの発生を抑える効果が高まる。前述した吸収体４の各部の厚みは下記方法により測定される。
【００４５】
＜吸収体の厚みの測定方法＞
測定対象物である吸収体を水平な場所にシワや折れ曲がりがないように静置し、５ｃＮ／ｃｍ2の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００４６】
また、吸収体４にスリットを形成するには、吸収性シートの積層体を、公知の切断手段により部分的に切断すれば良く、例えば、ロールの周面に、周方向に延びる切断刃が、ロールの周方向及び軸長方向に分散させて多数形成されたカッターロールと、該カッターロールの刃を受けるアンビルロールとを備えた切断装置を用いることができる。
なお、吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。また、吸収体４を構成する吸収性シートは、そのいずれもが吸水性ポリマーを含有する吸水性シートであることが好ましいが、吸水性ポリマーを含有する吸水性シートと、吸水性ポリマーを含有しない吸水性シートを組み合わせて、吸収体を構成する吸水性シートの積層体としても良い。
【００４７】
サイドシート１０としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアスルー不織布等の撥水性（疎水性）不織布が挙げられる。特に撥水性のエアスルー不織布を用いることが、肌触りのよさと横モレ防止の点から好ましい。
【００４８】
以上、本発明をその好ましい実施形態に基づき説明したが、本発明は前記実施形態に制限されない。
例えば、ナプキン１は、ウイング部７を有しないものであっても良い。また、吸収性本体５の後方部における両側に、ショーツの内面に広げて固定する後方フラップ部を有するものであっても良い。また、排泄部スリット領域Ｓは、排泄部対向部Ｂのみに形成されていても良いし、排泄部対向部Ｂから後方部Ｃの一部に延在していても良いし、排泄部対向部Ｂから、前方部Ａの一部及び後方部Ｃの一部に延在していても良い。また、多層部４２における吸収性シートの積層数は、４枚に代えて、２枚又は３枚でも良く、５枚以上であっても良い。また、多層部４２とそれ以外の部分との吸収性シートの積層枚数の差も１枚又は３枚以上であっても良い。また、後方スリット４５は、本数が２本、３本又は５本以上であっても良く、また、中央部４５ａに、スリットが開口した隙間４６を有する後方スリットと、そのような隙間のない後方スリットとが混在していても良い。また、後方スリット４５は、２本の直線がスリットの中央部で角度を持って結合した形状であっても良い。
また、本発明の吸収性物品は、生理用ナプキンの他、パンティライナ（おりものシート）、失禁パッド等であっても良い。
【００４９】
前述した本発明の実施態様に関し、更に以下の付記（吸収性物品等）を開示する。
＜１＞  液保持性の吸収体並びに該吸収体の肌対向面側に配置された表面シート及び該吸収体の非肌対向面側に配置された裏面シートを具備し、着用時に着用者の排泄部に対向配置される排泄部対向部と、該排泄部対向部より着用者の腹側に配される前方部と、該排泄部対向部より着用者の背側に配される後方部とを有する吸収性本体を備え、着用者の前後方向に相当する縦方向とこれに直交する横方向とを有する吸収性物品であって、前記吸収体は、吸収性シートの積層体からなり、前記排泄部対向部に、前記縦方向に沿う縦スリットが複数、分散した状態に形成された排泄部スリット領域を有しており、前記排泄部対向部における前記吸収体の前記横方向の中央部に、前記縦スリットが特定の配置で形成された中央スリット領域が形成されており、該特定の配置は、前記横方向に離間した複数本の縦スリットからなるスリット列が前記縦方向に複数列形成され、該縦方向に隣り合うスリット列間に間隔を有さず、且つ該縦方向に隣り合うスリット列のスリットの位置が前記横方向にずれている配置であり、前記吸収体は、前記後方部に、前記横方向へ長手方向を有するように延びる後方スリットを有しており、該後方スリットは、該後方スリットの長手方向の中央部が該長手方向の両端部の位置より前方部側に位置する平面視形状を有し、前記縦方向に間隔を開けて複数本形成されており、前記後方スリットで形成される後方スリット領域の前記横方向の長さが、前記排泄部スリット領域の同方向の長さと同じか短い吸収性物品。
【００５０】
＜２＞  前記吸収体は、前記排泄部対向部に多層部を有し、該多層部は、その周囲に位置する部分よりも吸収性シートの積層枚数が多い部分であり、前記中央スリット領域は、該多層部に形成され、前記後方スリットは、該多層部より後方に位置する、該多層部より吸収性シートの積層枚数が少ない部位に形成されている、前記＜１＞に記載の吸収性物品。
＜３＞  前記後方スリットは、前記縦方向に隣り合う後方スリットのうちの前方に位置する後方スリットの後端位置が、後方に位置する後方スリットの前端位置より前方に位置するように形成されている前記＜１＞又は＜２＞に記載の吸収性物品。
＜４＞  前記後方スリットは、その長手方向の中央部に、該スリットが開いた隙間を有する、前記＜１＞〜＜３＞の何れか１に記載の吸収性物品。
＜５＞  前記後方スリットは、前記前方部側に向かって凸に湾曲した平面視形状を有する、前記＜１＞〜＜４＞の何れか１に記載の吸収性物品。
＜６＞  前記排泄部スリット領域は、前記中央スリット領域の両側に、該中央スリット領域の縦スリットと長さが同じか短い縦スリットが形成された側部スリット領域を有しており、該側部スリット領域には、前記縦方向に複数の縦スリットが配置されているとともに、該縦方向に隣り合う縦スリットどうしは、前記横方向に位置をずらし且つ前記縦方向に重複部を有するように配置されている、前記＜１＞〜＜５＞の何れか１に記載の吸収性物品。
＜７＞  前記複数の後方スリット各々の長さがほぼ同じである、前記＜１＞〜＜６＞の何れか１に記載の吸収性物品。
＜８＞  前記複数の後方スリットが、前方側よりも後方側の方が短い、前記＜１＞〜＜７＞の何れか１に記載の吸収性物品。
＜９＞  前記吸収体は、該吸収体の外形を形成する主吸収体と、主吸収体の一部に重ねて配された主吸収体より小型の補助吸収体とを有している、前記＜１＞〜＜８＞の何れか１に記載の吸収性物品。
＜１０＞  前記吸収体は、前記補助吸収体を構成する１枚の吸収性シートを折り畳んだ構造のものを、主吸収体を構成する２枚の吸収性シート間に配したものである、前記＜１＞〜＜９＞の何れか１に記載の吸収性物品。
【００５１】
＜１１＞  １枚の吸収性シートを折り畳んで、前記主吸収体を構成する２枚の吸収性シートとした前記＜１０＞記載の吸収性物品。
＜１２＞  前記吸収性物品が左右一対のウィング部を有しており、該一対のウィング部間が前記排泄部対向部である、前記＜１＞〜＜１１＞の何れか１に記載の吸収性物品。
＜１３＞  前記吸収性物品がウィング部を有しておらず、個包装された状態では、前記縦方向に３つ折りされており、前記排泄部対向部が該吸収性物品を横方向に横断する２本の折曲線について、該吸収性物品の縦方向の前端から数えて第１折曲線と第２折曲線とに囲まれた領域である、前記＜１＞〜＜１２＞の何れか１に記載の吸収性物品。
＜１４＞  中央スリット領域における縦スリットの長さは、好ましくは１０ｍｍ以上３５ｍｍ以下である、前記＜１＞〜＜１３＞の何れか１に記載の吸収性物品。
＜１５＞  中央スリット領域における同一スリット列内における縦スリットの間隔は、３ｍｍ以上２０ｍｍ以下である、前記＜１＞〜＜１４＞の何れか１に記載の吸収性物品。
＜１６＞  排泄部スリット領域の横方向の長さは、排泄部対向部における吸収体の同方向の長さの、３０％以上８５％以下である、前記＜１＞〜＜１５＞の何れか１に記載の吸収性物品。
＜１７＞  排泄部スリット領域の横方向の長さは、３０ｍｍ以上５５ｍｍ以下である、前記＜１＞〜＜１６＞の何れか１に記載の吸収性物品。
＜１８＞  後方スリットで形成される後方スリット領域の横方向の長さの、排泄部スリット領域の横方向の長さに対する比は１/２以上１以下である、前記＜１＞〜＜１７＞の何れか１に記載の吸収性物品。
＜１９＞  後方スリットで形成される後方スリット領域の前記横方向の長さは、２０ｍｍ以上５０ｍｍ以下である、前記＜１＞〜＜１８＞の何れか１に記載の吸収性物品。
＜２０＞  前記後方スリットは、前記縦方向の長さが、前記後方スリット領域の前記横方向の長さの２．５％以上１７．５％以下である、前記＜１＞〜＜１９＞の何れか１に記載の吸収性物品。
【００５２】
＜２１＞  縦方向において隣り合う前方の後方スリットの後端位置と後方の前端位置との間の距離は、２ｍｍ以上１０ｍｍ以下である、前記＜１＞〜＜２０＞の何れか１に記載の吸収性物品。
＜２２＞  側部スリット領域の縦スリットは、前記縦方向の長さが、中央スリット領域の縦スリットの同方向の長さに対して５０％以上８５％以下である、前記＜１＞〜＜２１＞の何れか１に記載の吸収性物品。
＜２３＞  前記吸収性シートは、構成繊維同士が接着した構造のものである、前記＜１＞〜＜２２＞の何れか１に記載の吸収性物品。
＜２４＞  前記吸収性シートは、湿潤状態の吸水性ポリマーに生じる粘着力や別に添加した接着剤や接着性繊維等のバインダーを介して、構成繊維間や構成繊維と吸水性ポリマーとの間を結合させてシート状としたものである、前記＜１＞〜＜２３＞の何れか１に記載の吸収性物品。
＜２５＞  吸収性本体の肌対向面における縦方向Ｘに沿う両側部には、平面視において吸収体の縦方向Ｘに沿う左右両側部に重なるように、一対のサイドシートが吸収性本体の縦方向Ｘの略全長に亘って配され、一対のサイドシートは、それぞれ、排泄部対向部に位置する線状の第１接合線と、該第１接合線の縦方向Ｘの前後に位置する線状の第２接合線とで吸収性本体に接合されており、該第１接合線及び第２接合線よりも横方向の内方に、サイドシートと表面シートとで画成される空間部が形成されている、前記＜１＞〜＜２４＞の何れか１に記載の吸収性物品。
＜２６＞  吸収性本体の肌対向面には、表面シート及び吸収体が裏面シート側に向かって一体的に凹陥してなる線状溝が形成されており、該線状溝は、排泄部対向部を縦方向に延びる縦溝１と、前方部及び後方部に、それぞれ横方向に延びるように形成された第１及び第２の横溝が形成されている、前記＜１＞〜＜２５＞の何れか１に記載の吸収性物品。
＜２７＞  前記スリットが、前記サイドシートよりも横方向内側にのみ存在している、前記＜１＞〜＜２６＞の何れか１に記載の吸収性物品。
＜２８＞  前記線状溝が、前記サイドシートよりも横方向内側のみに存在している、前記＜１＞〜＜２７＞の何れか１に記載の吸収性物品。
＜２９＞  前記排泄部スリット領域は、前記中央スリット領域の両側に、該中央スリット領域の縦スリットと長さが同じか短い縦スリットが形成された側部スリット領域を有しており、該側部スリット領域には、前記縦方向に複数の縦スリットが配置されているとともに、該縦方向に隣り合う縦スリットどうしは、前記横方向に位置をずらし且つ前記縦方向に重複部を有しないように配置されている、前記＜１＞〜＜２８＞の何れか１に記載の吸収性物品。
＜３０＞  前記吸収性物品が生理用ナプキンである前記＜１＞〜＜２９＞の何れか１に記載の吸収性物品。
【符号の説明】
【００５３】
１  生理用ナプキン（吸収性物品）
２  表面シート
３  裏面シート
４  吸収体
４０１〜４０３  吸収性シート
Ｓ  排泄部スリット領域
Ｓ１  中央スリット領域
Ｓ２  側部スリット領域
Ｒ１，Ｒ２  スリット列
４２  多層部
４３，４４  縦スリット
Ｓ３  後方スリット領域
４５  後方スリット
４５ａ  中央部
４５ｂ，４５ｂ  両端部
４６  隙間
５  吸収性本体
５１  縦溝（線状溝）
５２，５３  横溝
７  ウイング部
１０  サイドシート
Ａ  前方部
Ｂ  排泄部対向部
Ｃ  後方部
Ｘ  縦方向
Ｙ  横方向
【図１】
2015023999.tif 000003
【図２】
2015023999.tif 000004
【図３】
2015023999.tif 000005
【図４】
2015023999.tif 000006
【図５】
2015023999.tif 000007
【図６】
2015023999.tif 000008
【図７】
2015023999.tif 000009
【図８】
2015023999.tif 000010